(57)【要約】【課題】  施工時の生産能力及び取り扱い性を向上させるとともに、良好な電気特性及び適度な機械強度を維持しつつ、配線用ユニットケーブルの軽量化、低価格化を図る。【解決手段】  開示されるジョイントボックスは、複数本のケーブルの端末を回路結線した複数の結線部を収容して絶縁保護するものである。このジョイントボックスは、複数本のケーブルが挿入され、これらを整列させる複数のケーブル挿入孔２１１〜２１１２が穿設されたケーブル固定部１１と、複数本のケーブルが挿入され、これらを整列させる複数のケーブル挿入孔が穿設されるとともに、中空部が形成されたケーブル固定部１２とを有している。そして、ケーブル固定部１１にケーブル固定部１２を重ねて締着させることにより、ケーブル固定部１１とケーブル固定部１２の中空部との間に形成される空間に屈曲した複数本のケーブルを固定するように構成されている。【選択図】  図１
2008118766.tif 000002
【特許請求の範囲】
【請求項１】
複数本のケーブルの端末を回路結線した複数の結線部を収容して絶縁保護するジョイントボックスであって、
前記複数本のケーブルが挿入され、これらを整列させる複数のケーブル挿入孔が穿設された第１のケーブル固定部と、
前記複数本のケーブルが挿入され、これらを整列させる複数のケーブル挿入孔が穿設されるとともに、中空部が形成された第２のケーブル固定部とを有し、
前記第１のケーブル固定部に前記第２のケーブル固定部を重ねて締着させることにより、前記第１のケーブル固定部と前記第２のケーブル固定部の前記中空部との間に形成される空間に屈曲した前記複数本のケーブルを固定するように構成されている
ことを特徴とするジョイントボックス。
【請求項２】
前記第１のケーブル固定部に前記第２のケーブル固定部が螺合することにより締着される
ことを特徴とする請求項１に記載のジョイントボックス。
【請求項３】
前記第１のケーブル固定部及び前記第２のケーブル固定部には、締着状態を維持するためのロック機構が形成されている
ことを特徴とする請求項１又は２に記載のジョイントボックス。
【請求項４】
前記第１及び第２のケーブル固定部のそれぞれに穿設された前記複数のケーブル挿入孔は、内面に平坦部を有し、対応する前記第１又は第２のケーブル固定部の中心に対して対称となるとともに、長手方向が対応する前記第１又は第２のケーブル固定部の半径方向に平行であって、各前記平坦部が当該ケーブル挿入孔の長軸に平行となるように穿設されている
ことを特徴とする請求項１乃至３のいずれかに記載のジョイントボックス。
【請求項５】
前記複数の結線部を収容するボックスカバーを有し、
前記第２のケーブル固定部に前記ボックスカバーを重ねて締着可能に構成されている
ことを特徴とする請求項１乃至４のいずれかに記載のジョイントボックス。
【請求項６】
請求項１乃至５のいずれかに記載の前記第１のケーブル固定部と請求項１乃至５のいずれかに記載の前記第２のケーブル固定部とを、前記第１のケーブル固定部に穿設された前記複数のケーブル挿入孔と前記第２のケーブル固定部に穿設された前記複数のケーブル挿入孔とがそれぞれ対向するように重ねたものにおける前記複数のケーブル挿入孔にそれぞれ挿入され、各端末が所定の経路同士となるように回路結線され、複数の結線部が形成されるとともに、前記第１のケーブル固定部に前記第２のケーブル固定部が締着することにより、前記第１のケーブル固定部と前記第２のケーブル固定部の前記中空部との間に形成される空間に屈曲して固定された複数本のケーブルを備え、
前記ジョイントボックスを構成するボックスカバーが前記第２のケーブル固定部に被せられて前記複数の結線部が前記ボックスカバーに収容されて前記複数の結線部が絶縁保護されている
ことを特徴とする配線用ユニットケーブル。
【発明の詳細な説明】
【技術分野】
【０００１】
本発明は、電気配線工事において、複数本のケーブルを回路結線した複数の結線部を収容して絶縁保護するジョイントボックス及びこのジョイントボックスを備えた配線用ユニットケーブルに関する。
【背景技術】
【０００２】
近年、居間や寝室などの部屋ごとにユニット化した部屋ユニットを住宅メーカーの工場で製造し、それらを施工現場で施主の希望や敷地形状に応じて組み付けることにより、一つの家屋を完成させるプレハブ住宅工法が知られている。このプレハブ住宅工法では、部屋ユニットごとの配線も予め工場内で行っており、ジョイントボックスを備えた配線用ユニットケーブルを用いて完成後の家屋で配線を行うことにより屋内配線作業の簡素化を達成することができる。
【０００３】
図９は、上記した従来の配線用ユニットケーブルの外観構成例を示す斜視図、図１０は、図９に示す従来の配線用ユニットケーブルの断面図である。この例における配線用ユニットケーブルでは、６００Ｖビニル絶縁ビニルシース平型ケーブル（以下、「ＶＶＦケーブル」と略称する。）１が複数本並列され、各々絶縁体２で被覆された導線３の端末が圧着スリーブ４を介して接続され、回路結線がされた後、絶縁チューブ５により各圧着スリーブ４間の絶縁がなされている。以上説明した各導線３の端末、各圧着スリーブ４及び各絶縁チューブ５により各結線部６がそれぞれ構成されている。
【０００４】
回路結線された複数の結線部６は、略倒立角枡状を呈するジョイントボックス本体７内に収容された後、絶縁性を有するエポキシ樹脂等の熱硬化性樹脂８がジョイントボックス本体７内に充填され、熱硬化性樹脂８が硬化することにより、各ＶＶＦケーブル１に引張強度を持たせるとともに、各結線部６の保護と絶縁及び各結線部６のジョイントボックス本体７内部ヘの固定が行われている（例えば、特許文献１参照。）。以下、この技術を第１の従来例と呼ぶ。
【０００５】
また、従来の配線用ユニットケーブルには、各ケーブルの端末を結線して形成した結線部を、ジョイントボックス本体と、このジョイントボックス本体に対して一体又は別体状態で係合するジョイントボックスカバーとの内部に収容することにより、上記結線部を外部に対して保護するものがある。この種の配線用ユニットケーブルでは、上記ジョイントボックス本体に、小径の引出側収容部と、この引出側収容部に連続する大径の収容部とを設け、上記引出側収容部には、２つの貫通孔と、これらの貫通孔を介して上記ジョイントボックス本体に一体化しかつ上記配線ユニットケーブルを略双曲線形状に束ねる結束部材とを設けている（例えば、特許文献２参照。）。以下、この技術を第２の従来例と呼ぶ。
【０００６】
【特許文献１】登録実用新案第３００５９１２号公報 （第２頁、第１図）
【特許文献２】特開２００５−８０４４６号公報（請求項１，［００１７］〜［００３８］、図１）
【発明の開示】
【発明が解決しようとする課題】
【０００７】
上記した第１の従来例では、熱硬化性樹脂８の硬化時間が必然的に発生して生産能力を向上させることができず、安価で短いリードタイムでの製造が難しいという問題がある。また、配線用ユニットケーブルの製品完成後に結線に誤りが発覚しても、各結線部６が樹脂モールドされているために修復が不可能であり、配線用ユニットケーブルを廃棄して新たに製造し直すしかないという問題がある。さらに、配線用ユニットケーブルの内部全体が樹脂モールドされているため、樹脂注入装置及びモールド用の熱硬化性樹脂８が必要となるとともに、配線用ユニットケーブル全体の重量が重くなり、取り扱い性に影響を来しているという問題もある。
【０００８】
また、上記した第２の従来例では、ジョイントボックス本体とジョイントボックスカバーとの内部に収容された結束部材と直接接触しないケーブルの引張強度が低くなり、所定の引張強度を確保することができないという問題がある。
【０００９】
本発明は、上述した事情に鑑みてなされたものであり、上述のような課題を解決することができるジョイントボックス及び配線用ユニットケーブルを提供することを目的とする。
【課題を解決するための手段】
【００１０】
上記課題を解決するために、請求項１記載の発明に係るジョイントボックスは、複数本のケーブルの端末を回路結線した複数の結線部を収容して絶縁保護するジョイントボックスに係り、前記複数本のケーブルが挿入され、これらを整列させる複数のケーブル挿入孔が穿設された第１のケーブル固定部と、前記複数本のケーブルが挿入され、これらを整列させる複数のケーブル挿入孔が穿設されるとともに、中空部が形成された第２のケーブル固定部とを有し、前記第１のケーブル固定部に前記第２のケーブル固定部を重ねて締着させることにより、前記第１のケーブル固定部と前記第２のケーブル固定部の前記中空部との間に形成される空間に屈曲した前記複数本のケーブルを固定するように構成されていることを特徴としている。
【００１１】
また、請求項２記載の発明は、請求項１に記載のジョイントボックスに係り、前記第１のケーブル固定部に前記第２のケーブル固定部が螺合することにより締着されることを特徴としている。
【００１２】
また、請求項３記載の発明は、請求項１又は２に記載のジョイントボックスに係り、前記第１のケーブル固定部及び前記第２のケーブル固定部には、締着状態を維持するためのロック機構が形成されていることを特徴としている。
【００１３】
また、請求項４記載の発明は、請求項１乃至３のいずれかに記載のジョイントボックスに係り、前記第１及び第２のケーブル固定部のそれぞれに穿設された前記複数のケーブル挿入孔は、内面に平坦部を有し、対応する前記第１又は第２のケーブル固定部の中心に対して対称となるとともに、長手方向が対応する前記第１又は第２のケーブル固定部の半径方向に平行であって、各前記平坦部が当該ケーブル挿入孔の長軸に平行となるように穿設されていることを特徴としている。
【００１４】
また、請求項５記載の発明は、請求項１乃至４のいずれかに記載のジョイントボックスに係り、前記複数の結線部を収容するボックスカバーを有し、前記第２のケーブル固定部に前記ボックスカバーを重ねて締着可能に構成されていることを特徴としている。
【００１５】
また、請求項６記載の発明に係る配線用ユニットケーブルは、請求項１乃至５のいずれかに記載の前記第１のケーブル固定部と請求項１乃至５のいずれかに記載の前記第２のケーブル固定部とを、前記第１のケーブル固定部に穿設された前記複数のケーブル挿入孔と前記第２のケーブル固定部に穿設された前記複数のケーブル挿入孔とがそれぞれ対向するように重ねたものにおける前記複数のケーブル挿入孔にそれぞれ挿入され、各端末が所定の経路同士となるように回路結線され、複数の結線部が形成されるとともに、前記第１のケーブル固定部に前記第２のケーブル固定部が締着することにより、前記第１のケーブル固定部と前記第２のケーブル固定部の前記中空部との間に形成される空間に屈曲して固定された複数本のケーブルを備え、前記ジョイントボックスを構成するボックスカバーが前記第２のケーブル固定部に被せられて前記複数の結線部が前記ボックスカバーに収容されて前記複数の結線部が絶縁保護されていることを特徴としている。
【発明の効果】
【００１６】
本発明によれば、配線用ユニットケーブルの施工時の生産能力及び取り扱い性を向上させることができるとともに、良好な電気特性及び適度な機械強度を維持しつつ、配線用ユニットケーブルの軽量化、低価格化を図ることができる。
【発明を実施するための最良の形態】
【００１７】
実施の形態１．
図１は、本発明の実施の形態１に係るジョイントボックスを構成するケーブル固定部１１及び１２の外観構成を示す斜視図、図２は、図１に示すケーブル固定部１１及び１２の正面図、図３（ａ）及び（ｂ）は、それぞれ図２（ａ）及び（ｂ）のＡ−Ａ断面図である。また、図４は、上記ジョイントボックスを構成するボックスカバー１３の外観構成を示す斜視図である。
【００１８】
さらに、図５は、上記ケーブル固定部１１にＶＶＦケーブル１４を挿入、保持した後、上記ケーブル固定部１２を挿入する状態の外観構成を示す斜視図、図６は、各ＶＶＦケーブル１４の端末を回路結線後、ケーブル固定部１２を回転させて各ＶＶＦケーブル１４を屈曲させて固定する状態の外観構成を示す斜視図である。また、図７は、本発明の実施の形態１に係る配線用ユニットケーブルの外観構成を示す斜視図、図８は、図７に示す配線用ユニットケーブルを別の角度から見た透視斜視図である。
【００１９】
ジョイントボックスは、ケーブル固定部１１及び１２と、ボックスカバー１３とから構成されている。図１（ｂ）、図２（ｂ）及び図３（ｂ）に示すケーブル固定部１１は、例えば、合成樹脂からなる。ケーブル固定部１１は、図５に示すように、複数本のＶＶＦケーブル１４が挿入されることによりこれらを整列させるとともに、ケーブル固定部１２が螺合することにより上記複数本のＶＶＦケーブル１４を屈曲させてこのケーブル固定部１１とケーブル固定部１２に固定するためのものである。
【００２０】
ケーブル固定部１１は、全体形状が略円盤状を呈している。ケーブル固定部１１は、大径部１１ａと、小径部１１ｂとが一体に形成されて構成されている。ケーブル固定部１１の厚さ方向には、内面にそれぞれ平坦部２１ａを有して貫通してなる複数のケーブル挿入孔２１１〜２１１２が穿設されている。複数のケーブル挿入孔２１１〜２１１２は、ケーブル固定部１１の中心を厚さ方向に通る直線を対称軸として点対称となるように計１２個穿設されている。なお、複数のケーブル挿入孔２１１〜２１１２を総称するときは、単に、「ケーブル挿入孔２１」と称する。各ケーブル挿入孔２１は、長手方向が上記ケーブル固定部１１の半径方向に平行となるとともに、各平坦部２１ａが当該ケーブル挿入孔２１の長軸に平行となるように形成されている。
【００２１】
一方、小径部１１ｂの外周には、ケーブル固定部１２を構成する大径部１２ａの下端部内周に穿設された雌ねじ３３が螺合する雄ねじ２２が形成されている。また、大径部１１ａと小径部１１ｂとにより形成される段部１１ｃには、凸部２３が形成されている。凸部２３は、断面略三角形状を呈している。凸部２３は、この配線用ユニットケーブルの組立時にケーブル固定部１２の下面１２ａａに穿設された凹部３４に嵌合する（ロックする）ことにより、一度屈曲した複数本のＶＶＦケーブル１４がその弾性力に基づいて屈曲を解消して固定状態を解除しようとすることを防止（回転戻り防止）するためのものである。
【００２２】
図１（ａ）、図２（ａ）及び図３（ａ）に示すケーブル固定部１２は、例えば、合成樹脂からなる。ケーブル固定部１２は、図５に示すように、複数本のＶＶＦケーブル１４が挿入され整列された状態にあるケーブル固定部１１に螺合することにより上記複数本のＶＶＦケーブル１４を屈曲させてこのケーブル固定部１２とケーブル固定部１１に固定するためのものである。
【００２３】
ケーブル固定部１２は、上記ケーブル固定部１１と同様に、全体形状が略円盤状を呈しており、外径が上記ケーブル固定部１１の外径と同一である。ケーブル固定部１２は、大径部１２ａと、小径部１２ｂとが一体に形成されて構成されている。ケーブル固定部１２の厚さ方向には、小径部１２ｂ全体と大径部１２ａの上部略４分の１程度にわたり（図３（ａ）参照）、内面にそれぞれ平坦部３１ａを有して貫通してなる複数のケーブル挿入孔３１１〜３１１２が穿設されている。なお、複数のケーブル挿入孔３１１〜３１１２を総称するときは、単に、「ケーブル挿入孔３１」と称する。
【００２４】
複数のケーブル挿入孔３１１〜３１１２は、ケーブル固定部１２の中心を厚さ方向に通る直線を対称軸として点対称となるように計１２個穿設されている。各ケーブル挿入孔３１は、長手方向が上記ケーブル固定部１２の半径方向に平行となるとともに、各平坦部３１ａが当該ケーブル挿入孔３１の長軸に平行となるように形成されている。以上説明した複数のケーブル挿入孔３１１〜３１１２相互の位置関係は、上記したケーブル固定部１１に穿設された複数のケーブル挿入孔２１１〜２１１２相互の位置関係と同一である。
【００２５】
また、大径部１２ａの上部略４分の１程度から下端にわたり、略円柱状を呈した中空部３２が形成されている。大径部１２ａの下端部内周には、上記ケーブル固定部１１を構成する小径部１１ｂに形成された雄ねじ２２が螺合する雌ねじ３３が穿設されている。
【００２６】
大径部１２ａの下面１２ａａには、略三角形状を呈する凹部３４が形成されている。凹部３４は、上記したように、この配線用ユニットケーブルの組立時にケーブル固定部１１の段部１１ｃに形成された凸部２３が嵌合する（ロックする）ことにより、一度屈曲した複数本のＶＶＦケーブル１４がその弾性力に基づいて屈曲を解消して固定状態を解除しようとすることを防止（回転戻り防止）するためのものである。従って、上記雌ねじ３３と上記雄ねじ２２は、上記凹部３４に上記凸部２３が嵌合する（ロックする）際に、ケーブル固定部１２を構成する大径部１２ａの下面１２ａａがケーブル固定部１１を構成する段部１１ｃに当接するように形成しておく必要がある。小径部１２ｂの外周には、ボックスカバー１３を構成する収容部４１の下端部内周に穿設された雌ねじ３３が螺合する雄ねじ３５が形成されている。
【００２７】
図４に示すボックスカバー１３は、例えば、透明な合成樹脂からなる。ボックスカバー１３は、複数の結線部１６を収容し、保護する形状、寸法を有する収容部４１と、配線用ユニットケーブルを造営材や根太等の建物構造物に固定するためのボックス固定部４２と、収容部４１とボックス固定部４２とを連結する連結部４３とが一体に形成されて構成されている。
【００２８】
収容部４１は、上端４１ａが塞がれ、下端４１ｂが開口した略円筒状を呈している。収容部４１の下端部内周には、図示しないが、上記ケーブル固定部１２を構成する小径部１２ｂに形成された雄ねじ３５が螺合する雌ねじが穿設されている。ボックス固定部４２は、略矩形板状を呈しており、収容部４１の外形直径と略同一幅を有している。ボックス固定部４２は、略矩形板状を呈する基部４２ａの上端から上側に突出する凸部４２ｂが基部４２ａと一体に形成されている。凸部４２ｂの略中央には、略円形状を呈する貫通孔４２ｂａが穿設されている。貫通孔４２ｂａは、配線用ユニットケーブルを根太等の建物構造物に固定する際に、例えば、ボルト等が挿入される。また、凸部４２ｂには、貫通孔４２ｂａを中心とした対称な位置に、貫通孔４２ｂｂ及び４２ｂｃがそれぞれ穿設されている。貫通孔４２ｂｂ及び４２ｂｃは、いずれも、略円形状を呈する円形貫通部と略Ｕ字状を呈するＵ字形貫通部とが円形貫通部の上部で連結している。貫通孔４２ｂｂ及び４２ｂｃは、配線用ユニットケーブルを造営材に取り付ける際に、例えば、結束部材が挿入される。
【００２９】
また、ボックス固定部４２は、基部４２ａの左右端の各略中央に、それぞれ外側に突出する凸部４２ｃ及び４２ｄが基部４２ａとそれぞれ一体に形成されている。凸部４２ｃ及び４２ｄの各略中央には、略円形状を呈する貫通孔４２ｃａ及び４２ｄａがそれぞれ穿設されている。貫通孔４２ｃａ及び４２ｄａは、配線用ユニットケーブルを根太等の建物構造物に固定する際に、例えば、ボルト等がそれぞれ挿入される。
【００３０】
また、凸部４２ｃには、貫通孔４２ｃａを中心とした対称な位置に、貫通孔４２ｃｂ及び４２ｃｃがそれぞれ穿設されている。同様に、凸部４２ｄには、貫通孔４２ｄａを中心とした対称な位置に、貫通孔４２ｄｂ及び４２ｄｃがそれぞれ穿設されている。貫通孔４２ｃｂ及び４２ｃｃは、いずれも、略円形状を呈する円形貫通部と略Ｕ字状を呈するＵ字形貫通部とが円形貫通部の右部で連結している。一方、貫通孔４２ｄｂ及び４２ｄｃは、いずれも、略円形状を呈する円形貫通部と略Ｕ字状を呈するＵ字形貫通部とが円形貫通部の左部で連結している。貫通孔４２ｃｂ及び４２ｃｃ並びに貫通孔４２ｄｂ及び４２ｄｃは、それぞれ配線用ユニットケーブルを造営材に取り付ける際に、例えば、結束部材が挿入される。
【００３１】
さらに、ボックス固定部４２の背面略中央には、いずれも略Ｕ字状を呈する溝４２ｅ及び４２ｆが互いに直交するように形成されている。なお、図４では、凸部４２ｄ、貫通孔４２ｄａ、貫通孔４２ｄｂ、貫通孔４２ｄｃ、溝４２ｅ及び溝４２ｆは、いずれも示していない。
【００３２】
次に、上記構成のジョイントボックスを用いて、本実施の形態１に係る配線用ユニットケーブルを組み立てる方法について説明する。まず、結線すべき最大１２本のＶＶＦケーブル１４について、各端末のシース５１及び各絶縁心線５２のそれぞれの絶縁体５３を順次剥がして導体５４を露出させる（図５参照）。
【００３３】
次に、上記処理を施した各ＶＶＦケーブル１４を、ケーブル固定部１１の各ケーブル挿入孔２１に、ケーブル固定部１１を構成する大径部１１ａの下面１１ａａ側から挿入する。そして、各ＶＶＦケーブル１４のシース５１で覆われた部分を所定長さだけ突出させた後、保持する（図５参照）。次に、図５に示すように、ケーブル固定部１１の各ケーブル挿入孔２１に複数本のＶＶＦケーブル１４が挿入され、保持された状態のものに対して、ケーブル固定部１２を大径部１２ａの下面１２ａａ側から被せ、各ケーブル挿入孔３１に各ＶＶＦケーブル１４の各端末を挿入する。この場合、各ＶＶＦケーブル１４は、ケーブル固定部１１及び１２内において、略垂直に整列する。即ち、ケーブル固定部１１及び１２は、配線用ユニットケーブルを組み立てる際の各ＶＶＦケーブル１４を整列させるための治工具としての機能を有している。
【００３４】
この際、図５に示すように、ケーブル固定部１２を構成する大径部１２ａの下面１２ａａに穿設された凹部３４に最も近いケーブル挿入孔３１１が、ケーブル固定部１１を構成する段部１１ｃに形成された凸部２３に最も近いケーブル挿入孔２１１に反時計回り方向に隣接するケーブル挿入孔２１１２と対向するように、ケーブル固定部１２を被せる。これにより、ケーブル固定部１２に形成されたケーブル挿入孔３１２はケーブル固定部１１に形成されたケーブル挿入孔２１１に対向し、以下、ケーブル挿入孔３１３はケーブル挿入孔２１２に対向し、ケーブル挿入孔３１４はケーブル挿入孔２１３に対向し、ケーブル挿入孔３１５はケーブル挿入孔２１４に対向する。また、ケーブル挿入孔３１６はケーブル挿入孔２１５に対向し、ケーブル挿入孔３１７はケーブル挿入孔２１６に対向し、ケーブル挿入孔３１８はケーブル挿入孔２１７に対向する。ケーブル挿入孔３１９はケーブル挿入孔２１８に対向し、ケーブル挿入孔３１１０はケーブル挿入孔２１９に対向し、ケーブル挿入孔３１１１はケーブル挿入孔２１１０に対向し、ケーブル挿入孔３１１２はケーブル挿入孔２１１１に対向する。
【００３５】
次に、各絶縁心線５２の端末から露出したそれぞれの導体５４を所定の経路同士となるように電線コネクタ１５等を用いて回路結線することにより、複数の結線部１６を形成する（図６参照）。電線コネクタ１５は、絶縁性を有しており、他の電線コネクタ１５等に接触しても電気的な導通が得られないように形成されている。なお、電線コネクタ１５に換えて、絶縁性を有する既知の絶縁チューブ、圧着スリーブを用いても良い。
【００３６】
次に、図６に示すように、ケーブル固定部１２をケーブル固定部１１に対して時計回りに回転させることにより、ケーブル固定部１２を構成する大径部１２ａの下端部内周に穿設された雌ねじ３３をケーブル固定部１１を構成する小径部１１ｂの外周に形成された雄ねじ２２に螺合させる。これにより、ケーブル固定部１２に形成されたケーブル挿入孔３１１〜３１１２は、時計回りに回転し、ケーブル挿入孔３１１はケーブル固定部１１に形成されたケーブル挿入孔２１１に対向する。以下、ケーブル挿入孔３１２はケーブル挿入孔２１２に対向し、ケーブル挿入孔３１３はケーブル挿入孔２１３に対向し、ケーブル挿入孔３１４はケーブル挿入孔２１４に対向する。また、ケーブル挿入孔３１５はケーブル挿入孔２１５に対向し、ケーブル挿入孔３１６はケーブル挿入孔２１６に対向し、ケーブル挿入孔３１７はケーブル挿入孔２１７に対向する。ケーブル挿入孔３１８はケーブル挿入孔２１８に対向し、ケーブル挿入孔３１９はケーブル挿入孔２１９に対向し、ケーブル挿入孔３１１０はケーブル挿入孔２１１０に対向する。ケーブル挿入孔３１１１はケーブル挿入孔２１１１に対向し、ケーブル挿入孔３１１２はケーブル挿入孔２１１２に対向する。
【００３７】
これに伴って、すべてのＶＶＦケーブル１４には、ケーブル固定部１２を構成する大径部１２ａの中空部３２とケーブル固定部１１を構成する小径部１１ａの上面とにより形成される空間において、時計回りに屈曲させる一定以上の均一な圧力が加えられ、すべてのＶＶＦケーブル１４が均一に屈曲した状態で当該空間に固定される。各ＶＶＦケーブル１４が屈曲することにより、各ＶＶＦケーブル１４は、当該ＶＶＦケーブル１４が挿入されているケーブル挿入孔２１の各エッジ及びケーブル挿入孔３１の各エッジに引っ掛かるとともに、当該ケーブル挿入孔２１の各平坦部２１ａ及びケーブル挿入孔３１の各平坦部３１ａに押圧される。これにより、各ＶＶＦケーブル１４とケーブル固定部１１及び１２との間の図中ｘ方向における摩擦力が増加するため、配線用ユニットケーブルとして要求される所定の引張強度を確保することができる。
【００３８】
そして、ケーブル固定部１１の段部１１ｃに形成された凸部２３をケーブル固定部１２を構成する大径部１２ａの下面１２ａａに形成された凹部３４に嵌合させる（ロックさせる）。これにより、一度屈曲した複数本のＶＶＦケーブル１４がその弾性力に基づいて屈曲を解消して固定状態を解除しようとすることが防止される（回転戻り防止）。
【００３９】
次に、図６に示すような状態にあるものを、図４に示すボックスカバー１３を構成する収容部４１の下端４１ｂの開口部から挿入し、ボックスカバー１３をケーブル固定部１２に対して時計回りに回転させることにより、ボックスカバー１３の下端部内周に穿設された雌ねじをケーブル固定部１２を構成する小径部１２ｂの外周に形成された雄ねじ３５に螺合させる。これにより、図７及び図８に示すように、ボックスカバー１３を構成する収容部４１内に複数の結線部１６が収容され、絶縁保護され、配線用ユニットケーブルの組み立てが完成する。
【００４０】
次に、点検のために透明な合成樹脂からなるボックスカバー１３の外側から目視した結果、配線用ユニットケーブルの製品完成後に結線に誤りが発覚した場合には、ボックスカバー１３を反時計回りに回転させることにより、ボックスカバー１３を簡単に取り外すことができる。従って、誤配線の修復が可能であり、屋内配線を短時間で終了させることができる。
【００４１】
このように、本発明の実施の形態１によれば、凸部２３及び凹部３４並びに中空部３２以外は相似形状を呈するケーブル固定部１１及び１２を設け、複数本のＶＶＦケーブル１４をケーブル固定部１１及び１２のそれぞれのケーブル挿入孔２１及び３１に挿入した後、回路結線し、ケーブル固定部１１をケーブル固定部１２に螺合させることにより、複数本のＶＶＦケーブル１４をケーブル固定部１１及び１２に固定している。そして、複数の結線部１６をボックスカバー１３を構成する収容部４１に収容している。従って、従来の配線用ユニットケーブルと比べて、簡単、かつ、軽量な構成で、従来と同等の電気性能と適度な機械強度を持たせることができる。
【００４２】
また、本発明の実施の形態１によれば、配線用ユニットケーブルの組立時には、特別な治工具や特別な組立装置を使用する必要もなく、簡単に組み立てることができる。さらに、本発明の実施の形態１によれば、回路結線を行った後はボックスカバー１３を被せるだけであり、上記した第１の従来例のように熱硬化性樹脂８でモールドする必要はない。従って、生産能力を向上させることができ、安価で短いリードタイムでの製造がしやすいとともに、従来品よりも軽量になるため、施工時の取り扱い性が向上する。
【００４３】
さらに、本発明の実施の形態１によれば、点検のために透明な合成樹脂からなるボックスカバー１３の外側から目視した結果、配線用ユニットケーブルの製品完成後に結線に誤りが発覚した場合でも、ボックスカバー１３を反時計回りに回転させることにより、ボックスカバー１３を簡単に取り外すことができる。従って、誤配線の修復が可能であり、上記した第１の従来例のように、配線用ユニットケーブルを廃棄して新たに製造し直す必要がないので、屋内配線を短時間で終了させることができる。
【００４４】
また、本発明の実施の形態１によれば、ケーブル固定部１２をケーブル固定部１１に螺合させることにより、各ＶＶＦケーブル１４が均一に屈曲し、当該ＶＶＦケーブル１４が挿入されているケーブル挿入孔２１の各エッジ及びケーブル挿入孔３１の各エッジに引っ掛かるとともに、当該ケーブル挿入孔２１の各平坦部２１ａ及びケーブル挿入孔３１の各平坦部３１ａに押圧される。これにより、各ＶＶＦケーブル１４とケーブル固定部１１及び１２との間の図中ｘ方向における摩擦力が増加するため、配線用ユニットケーブルとして要求される所定の引張強度を確保することができる。
【００４５】
実施の形態２．
上述の実施の形態１では、ボックスカバー１３の下端部内周に穿設された雌ねじをケーブル固定部１２を構成する小径部１２ｂの外周に形成された雄ねじ３５に螺合させる例を示したが、これに限定されない。例えば、ケーブル固定部１２には、上記雄ねじ３５に換えて、段部１２ｃにケーブル固定部１２の中心を厚さ方向に通る直線を対称軸として対称となるように、一対の突起部を形成する。この一対の突起部の断面は、いずれも、ケーブル固定部１２の上縁からケーブル固定部１１の上縁に向かって、その断面の幅が徐々に大きくなる略直角三角形状を呈するように形成する。一方、ボックスカバー１３には、上記雌ねじに換えて、収容部４１の正面下端４１ｂの近傍及びボックス固定部４２の基部４２ａの背面下端４２ａａの近傍のそれぞれ対称となる位置に、ケーブル固定部１２が下端４１ｂから挿入された際にケーブル固定部１２の段部１２ｃに形成された一対の突起部がそれぞれ嵌合する一対の切欠部を形成する。
【００４６】
このように構成すれば、配線用ユニットケーブルの組立時には、小さな力で上記一対の突起部が上記一対の切欠部にそれぞれ嵌合する。しかし、一対の突起部がボックスカバー１３の一対の切欠部にそれぞれ嵌合した後は、例えば、ボックスカバー１３を回転させても、一対の突起部のそれぞれの側面がボックスカバー１３の対応する切欠部の内壁に当接し、ボックスカバー１３の嵌合状態が解除されることはない。
【００４７】
ただし、配線用ユニットケーブルの製品完成後に結線に誤りが発覚した場合には、一対の突起部のそれぞれの先端を、例えば、マイナスドライバー等で押圧しつつ、ボックスカバー１３を捻ることにより、ボックスカバー１３の嵌合状態を解除することができる。従って、誤配線の修復が可能であり、屋内配線を短時間で終了させることができる。
【００４８】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の実施の形態１では、各ＶＶＦケーブル１４同士の回路結線後にケーブル固定部１１とケーブル固定部１２とを螺合してＶＶＦケーブル１４をケーブル固定部１１及び１２に固定する例を示したが、これに限定されない。ケーブル固定部１１とケーブル固定部１２とを螺合してＶＶＦケーブル１４をケーブル固定部１１及び１２に固定した後に、各ＶＶＦケーブル１４の端末同士の回路結線を行っても良い。
【００４９】
また、上述の各実施の形態では、ケーブルは、ＶＶＦケーブル１４である例を示したが、これに限定されない。ケーブルは、絶縁材からなるシースと、絶縁材からなる被覆と、導体とから構成されていれば、絶縁材及び導体の材質並びに心線の本数などはどのようなものでも良い。
また、上述の各実施の形態では、ケーブル固定部１１を構成する小径部１１ｂの外周に雄ねじ２２を形成するとともに、ケーブル固定部１２を構成する大径部１２ａの下端部内周に雌ねじ３３を穿設し、かつ、ケーブル固定部１１の段部１１ｃに凸部２３を形成するとともに、ケーブル固定部１２を構成する大径部１２ａの下面１２ａａに凹部３４を形成する例を示したが、これに限定されない。例えば、上記雄ねじ２２と上記雌ねじ３３の組又は上記凸部２３と上記凹部３４の組のいずれか一方の組だけ設けるように構成しても良い。
また、上述の各実施の形態では、雄ねじ２２と雌ねじ３３はいわゆる「右ねじ」である例を示したが、これに限定されず、いわゆる「左ねじ」でももちろん良い。
また、上述の各実施の形態は、その目的及び構成等に特に矛盾や問題がない限り、互いの技術を流用することができる。
【図面の簡単な説明】
【００５０】
【図１】本発明の実施の形態１に係るジョイントボックスを構成するケーブル固定部の外観構成を示す斜視図である。
【図２】図１に示すケーブル固定部の正面図である。
【図３】図２のＡ−Ａ断面図であり、（ａ）は、図２（ａ）のＡ−Ａ断面図、（ｂ）は、図２（ｂ）のＡ−Ａ断面図である。
【図４】ジョイントボックスを構成するボックスカバーの外観構成を示す斜視図である。
【図５】ケーブル固定部にＶＶＦケーブルを挿入、保持した後、ケーブル固定部を挿入する状態の外観構成を示す斜視図である。
【図６】各ＶＶＦケーブルの端末を回路結線後、ケーブル固定部を回転させて各ＶＶＦケーブルを屈曲させて固定する状態の外観構成を示す斜視図である。
【図７】本発明の実施の形態１に係る配線用ユニットケーブルの外観構成を示す斜視図である。
【図８】図７に示す配線用ユニットケーブルを別の角度から見た透視斜視図である。
【図９】従来の配線用ユニットケーブルの外観構成例を示す斜視図である。
【図１０】図９に示す従来の配線用ユニットケーブルの断面図である。
【符号の説明】
【００５１】
１１，１２  ケーブル固定部
１１ａ，１２ａ  大径部
１１ａａ，１２ａａ  下面
１１ｂ，１２ｂ  小径部
１１ｃ，１２ｃ  段部
１３  ボックスカバー
１４  ＶＶＦケーブル
１５  電線コネクタ
１６  結線部
２１，２１１〜２１１２ ，３１，３１１〜３１１２  ケーブル挿入孔
２１ａ，３１ａ  平坦部
２２，３５  雄ねじ
２３  凸部
３２  中空部
３３  雌ねじ
３４  凹部
４１  収容部
４１ａ  上端
４１ｂ  下端
４２  ボックス固定部
４２ａ  基部
４２ａａ  下端
４２ｂ，４２ｃ，４２ｄ  凸部
４２ｂａ，４２ｂｂ，４２ｂｃ，４２ｃａ，４２ｃｂ，４２ｃｃ，４２ｄａ，４２ｄｂ，４２ｄｃ  貫通孔
４２ｅ，４２ｆ  溝
４３  連結部
５１  シース
５２  絶縁心線
５３  絶縁体
５４  導体
【図１】
2008118766.tif 000003
【図２】
2008118766.tif 000004
【図３】
2008118766.tif 000005
【図４】
2008118766.tif 000006
【図５】
2008118766.tif 000007
【図６】
2008118766.tif 000008
【図７】
2008118766.tif 000009
【図８】
2008118766.tif 000010
【図９】
2008118766.tif 000011
【図１０】
2008118766.tif 000012